(57)【特許請求の範囲】
【請求項１】
流体を調量するための弁（１）であって、電磁アクチュエータ（２）と、当該アクチュエータ（２）のアーマチャ（４）によって操作可能な弁ニードル（７）であって、弁座面（９）と協働してシール座を成す弁閉鎖体（８）を操作するために機能する前記弁ニードル（７）と、を備え、前記アーマチャ（４）は、少なくとも１つの貫流チャネル（２６Ａ〜２６Ｆ）を有する、前記弁（１）において、
前記少なくとも１つの貫流チャネル（２６Ａ〜２６Ｆ）は、少なくとも１つの連通口（３６Ａ〜３６Ｆ）で、前記アーマチャ（４）の端面（１７）に連通しており、前記アーマチャ（４）は、前記弁ニードル（７）に可動的に通されており、前記弁ニードル（７）に固定的に配置されたストッパ要素（１５）が設けられ、前記ストッパ要素（１５）は、前記アーマチャ（４）の端面（１７）が前記ストッパ要素（１５）に当接している場合であっても、前記少なくとも１つの貫流チャネル（２６Ａ〜２６Ｆ）を前記アーマチャ（４）側とは反対側に開放して流量調整された貫流を可能とするように、前記少なくとも１つの貫流チャネル（２６Ａ〜２６Ｆ）の前記少なくとも１つの連通口（３６Ａ〜３６Ｆ）と協働し、
前記アーマチャの前記端面のほうを向いた前記ストッパ要素のストッパ面は一領域において円錐状に成型されており、前記アーマチャと前記ストッパ要素との間の空間は円錐状に成型され外側に向かって増大する楔形状となっていることを特徴とする、弁（１）。
【請求項２】
各前記貫流チャネル（２６Ａ〜２６Ｆ）は、少なくとも近似的に円形状又はじん臓形状の貫流横断面を備えて形成され、及び／又は、各前記連通口（３６Ａ〜３６Ｆ）は、少なくとも近似的に、円形状又はじん臓形状の連通口（３６Ａ〜３６Ｆ）として形成されることを特徴とする、請求項１に記載の弁。
【請求項３】
前記貫流チャネル（２６Ａ〜２６Ｆ）は、複数の貫流チャネル（２６Ａ〜２６Ｆ）を備え、前記複数の貫流チャネル（２６Ａ〜２６Ｆ）の前記連通口（３６Ａ〜３６Ｆ）は、前記弁ニードル（７）の長手方向軸線（１０）を中心とした円周上に均等に分散していることを特徴とする、請求項１又は２に記載の弁。
【請求項４】
前記貫流チャネル（２６Ａ〜２６Ｆ）は、複数の貫流チャネル（２６Ａ〜２６Ｆ）を備え、各前記貫流チャネル（２６Ａ〜２６Ｆ）の前記連通口（３６Ａ〜３６Ｆ）は、前記弁ニードル（７）の長手方向軸線（１０）から径方向に同一の範囲に亘って前記アーマチャ（４）の前記端面（１７）に配置されていることを特徴とする、請求項１〜３のいずれか１項に記載の弁。
【請求項５】
前記アーマチャ（４）は、液体状の流体によって取り囲まれていることを特徴とする、請求項１〜４のいずれか１項に記載の弁。
【請求項６】
前記ストッパ要素（１５）には、スリット部（３７Ａ〜３７Ｊ）が形成され、前記スリット部（３７Ａ〜３７Ｊ）は、前記アーマチャ（４）の端面（１７）が前記ストッパ要素（１５）に当接している場合には前記少なくとも１つの貫流チャネル（２６Ａ〜２６Ｆ）について流量調整された貫流を可能とするように、形成されることを特徴とする、請求項１〜５のいずれか１項に記載の弁。
【請求項７】
前記スリット部（３７Ａ〜３７Ｊ）は、前記弁ニードル（７）の長手方向軸線（１０）から径方向に延びていることを特徴とする、請求項６に記載の弁。
【請求項８】
前記スリット部（３７Ａ〜３７Ｊ）は、前記弁ニードル（７）の長手方向軸線（１０）を中心とした円周上に均等に分散して前記ストッパ要素（１５）に配置されることを特徴とする、請求項６又は７に記載の弁。
【請求項９】
前記ストッパ要素（１５）は、前記アーマチャ（４）の前記端面（１７）とは反対の側の外面（４０）を有し、前記外面（４０）は、少なくとも部分的に円錐状に成形され、前記スリット部（３７Ａ〜３７Ｊ）は、円錐状成形部（４１）の領域に配置されることを特徴とする、請求項６〜８のいずれか１項に記載の弁。
【請求項１０】
前記ストッパ要素（１５）には、貫通口（４５Ａ〜４５Ｊ）が形成され、前記貫通口（４５Ａ〜４５Ｊ）は、前記アーマチャ（４）の端面（１７）が前記ストッパ要素（１５）に当接している場合には前記少なくとも１つの貫流チャネル（２６Ａ〜２６Ｆ）について流量調整された貫流を可能とするように、形成されることを特徴とする、請求項１〜７のいずれか１項に記載の弁。
【請求項１１】
前記貫通口（４５Ａ〜４５Ｊ）は、前記弁ニードル（７）の長手方向軸線（１０）を中心とした円周上に均等に分散して前記ストッパ要素（１５）に配置されることを特徴とする、請求項１０に記載の弁。
【請求項１２】
前記ストッパ要素（１５）は、前記アーマチャ（４）の前記端面（１７）とは反対の側の外面（４０）を有し、前記外面（４０）は、少なくとも部分的に円錐状に成形され、前記貫通口（４５Ａ〜４５Ｊ）は、円錐状成形部（４１）の領域に配置されることを特徴とする、請求項１０又は１１のいずれか１項に記載の弁。
【請求項１３】
前記ストッパ要素（１５）は、弁閉鎖体（８）が弁座面（９）から離座する方向である開放方向（２４）とは逆に起きる前記アーマチャ（４）の移動を制限することを特徴とする、請求項１〜１２のいずれか１項に記載の弁。
【請求項１４】
前記弁（１）が、内燃機関の燃料噴射弁であることを特徴とする、請求項１〜１３のいずれか１項に記載の弁。
【発明の詳細な説明】
【技術分野】
【０００１】
本発明は、流体を調量するための弁、特に、内燃機関の燃料噴射弁に関する。特に、本発明は、好適に内燃機関の燃焼室への燃料の直接噴射が行われる、自動車の燃料噴射装置のインジェクタ分野に関する。
【背景技術】
【０００２】
独国特許出願公開第１０３６０３３０号明細書には、内燃機関の燃料噴射装置のための燃料噴射弁が開示されている。公知の燃料噴射弁は、弁座面と協働してシール座を成す弁ニードルと、弁ニードルと結合されたアーマチャであって、戻しばねによって閉鎖方向に負荷が加えられており電磁コイルと協働する上記アーマチャと、を備える。アーマチャは、磁気回路の外極の凹設部内に配置されており、アーマチャの円周に形成された鍔部を有する。鍔部に形成された三角形の横断面によって、アーマチャの、方向に依存した液圧的減衰が可能となる。
【発明の概要】
【発明が解決しようとする課題】
【０００３】
その際には、開放運動の減衰は生じるが、閉鎖運動は、妨げられることなく行われうる。弁ニードルガイド部と、アーマチャと、ガイド要素と、には燃料チャネルが通っている。燃料は、中央の燃料供給管を介して供給される。
【課題を解決するための手段】
【０００４】
請求項１の特徴を備えた本発明に係る弁には、改良された構成及び機能形態が可能となるという利点がある。特に、アーマチャ自由経路が設けられた構成では、短い休止時間での改良された多段点火性能が達成される。
【０００５】
従属請求項に記載された手段によって、請求項１に記載された弁の有利な発展形態が可能である。
【０００６】
流体を調量するための弁では、ソレノイドアーマチャとして機能するアーマチャが、弁ニードルと固定的には結合されておらず、ストッパの間に浮動状態で支承されている。これにより、ある程度の、設定されたアーマチャ自由経路が獲得される。このようなストッパは、ストッパ要素の例であるストッパスリーブ及び／又はストッパリングによって実現される。上記ストッパ要素の少なくとも１つが、本発明に対応して変更される。原則的に、２つのストッパ要素を設けることも可能であり、この２つのストッパ要素は、アーマチャの移動を両側で制限し、かつ、同じやり方又は異なるやり方で以下のように変更され、即ち、アーマチャの端面又は更なる別の端面が、これに関するストッパ要素に当接している場合には、アーマチャの少なくとも１つの貫流チャネルに関して流量調整が可能となるように、変更される。
【０００７】
一構成において、アーマチャは、静止状態においては、好適に少なくとも１つのばねを介して、弁ニードルに対して固定されたストッパへと位置が変えられており、従って、アーマチャはそこでストッパに当接している。弁が作動された際には、アーマチャ自由経路全体が加速区間として提供される。
【０００８】
弁ニードルとアーマチャとの固定的な結合と比較して、同じ磁気力での開放の際に生じるアーマチャのインパルスによって、弁ニードルがより高度の圧力下でも確実に開放されうるという利点が得られる。このことは、動的機械的増幅とも称される。更なる別の利点は、関与する質量物の分離が行われ、シール座で結果的に生じる衝突力が２つのインパルスに分けられることである。特に、質量物の分離によって、極めて動的な噴射弁において、強い衝撃が生じる傾向がより小さくなる。
【０００９】
但し、アーマチャが弁ニードルに対して浮動状態で支承されていることに関連した固有の問題が発生する。弁の閉鎖時には以下のような問題が発生する。即ち、アーマチャが、これに関するストッパに衝突した後で、その構造により再び跳ね返る可能性があり、極端な場合にはアーマチャ自由経路全体をもう一度通過し、その後に、対向するストッパにぶつかった際にアーマチャは、弁ニードルが再度短時間の間自身の座部から引き上げられるほど大きなエネルギーを有するという問題が発生する。これにより、望まれぬアフター噴射が起こり、結果的に、燃料消費量が増大し、有害物質の排出量が増大する。跳ね返った際にアーマチャがアーマチャ経路を完全には通過しなかったとしても、アーマチャの運動が再び沈静化して初期ポジションに達するまで幾分時間が掛かる。最終的な沈静化の前に新たな作動が行われた場合、このことは噴射間の休止時間が短い多段点火においては特に重大なことであるが、弁がもはや安定的に機能しえない。それは例えば、衝突インパルス（Ａｎｓｃｈｌａｇｉｍｐｕｌｓ）が対応して増大又は低下することでありうる。最悪の場合、このことによって結果的に弁がもはや全く開かないということになりうる。なぜならば、もはや衝突インパルスが、開弁のためには十分ではないからである。
【００１０】
構成及び適用ケースに従って、アーマチャの減衰は、液体状の流体中にアーマチャが配置されることで達成される。その際には、アーマチャの外面と弁のハウジングの内壁との間に存在する環状空隙を介して減衰が調整される。但しこのような減衰の場合、方向に依存した減衰が起きたとしても、アーマチャ経路全体に亘って減衰が引き起こされるという問題が発生する。従って、このような減衰がもたらす可能性は限られている。アーマチャの少なくとも１つの貫流チャネルによる貫流の流量調整によって、減衰に対する有利な作用が獲得される。なぜならば、減衰は、これに関するストッパ要素と衝突する領域で合目的的に強められるからである。
【００１１】
弁の構成に従って、有利に、１つ以上の利点が実現されうる。有利に、アーマチャが強く衝突することが防止され、これにより特に、望まれぬアフター噴射が防止され、かつ、アーマチャの改善された沈静化が達成されうる。さらに、短い休止時間での、より安定的な多段点火性能が実現されうる。さらに、閉鎖時のより小さな衝突インパルスが実現され、このことによって結果的に、アーマチャと、ストッパスリーブと、弁座と、での摩耗がより小さくなる。このことにより、一方では、寿命に亘る想定される機能の変化が減り、他方では、望まれぬ騒音が低減される。さらに、有利に、液圧的な固着（ｈｙｄｒａｕｌｉｓｃｈｅｓ  Ｋｌｅｂｅｎ）が防止される。
【００１２】
このような液圧的な固着においては、アーマチャが、例えば自身の静止ポジションから始まって、これに関するストッパに液圧的に固着し、作動時に離れるのが遅くなる。このような液圧的な固着によって作動時の挙動に変化が生じ、噴射される燃料量に関してばらつきが生じる可能性がある。さらに、減衰液体の公差感度（Ｔｏｌｅｒａｎｚｅｍｐｆｉｎｄｌｉｃｈｋｅｉｔ）の改善が達成されうる。
【００１３】
弁ニードルによって操作される弁閉鎖体は、弁ニードルと一体に形成されてもよい。弁閉鎖体は、球形状の弁閉鎖体として又は他の形態により構成されうる。ストッパ要素は、別体の要素として実現され、適切なやり方で弁ニードルと結合されうる。例えば、ストッパ要素は、弁ニードルに溶接されうる。但し、ストッパ要素と弁ニードルとの一体成形も構想されうる。
【００１４】
請求項２には、有利な構成が示されている。貫通孔として構成され、均等に分散された複数の貫流チャネルによっても、減衰のための有利な流体挙動が達成される。さらに、複数の貫流チャネルによって、流体調整が、ストッパとアーマチャとの間の傾斜状態（Ｄｒｅｈｗｉｎｋｅｌｓｔｅｌｌｕｎｇ）に影響を受けるということが回避される。
【００１５】
請求項３の構成では、貫流への有利な流量調整が起こり、当該流量調整は、幾何学形状的に簡単に実現される。その幾何学形状的構成により、ストッパ要素のある程度の柔軟性及び弾性特性も獲得するが、このことは特に請求項４に係る構成に該当する。
【００１６】
請求項５の構成は、請求項３又は４の構成に追加的に又は当該構成と代替的に実現されうる。特に、比較的小さな、ストッパ要素により可能となる流量調整のために、貫通口によって、特に円形又は円筒形の貫通口によって、アーマチャの連通口の領域でストッパ要素の材料を集中的に除去することが可能となる。請求項６に係る発展形態によって、貫通口は、円筒状に構成され、又は円形の開口横断面を備えて構成されうる。
【００１７】
請求項７に係るスリット部又は貫通口の配置によって、貫流チャネルの均等な分散、又はアーマチャの端面上での貫流チャネルの開口部の均等な分散と組み合わせて、相対的な傾斜状態からは十分に独立して、減衰に対して影響を与えることが達成されうる。
【００１８】
請求項８に係る構成には、所望の減衰効果を得るために、特にストッパ要素のストッパ鍔部の厚さが調整又は最適化されるという利点がある。
【００１９】
請求項９に係る発展形態には、特に、外側に向かって増大する僅かな楔状の空間（Ｋｅｉｌｉｇｋｅｉｔ）であって、μｍの範囲内でありうる上記楔状の空間によって、液圧的な固着が防止され又は少なくとも低減されうるという利点がある。
【００２０】
請求項１０による構成に応じて、特に、閉鎖時に発生する跳ね返りの影響を効果的に抑制することが可能であり、その際に、戻り経路全体に亘ってアーマチャを強く減衰させる必要はない。
【００２１】
従って、特に、弁閉鎖体に近いストッパでの減衰が改善されうる。これにより、跳ね返る高さがより低くなり、従って、アーマチャの強い衝撃が回避されて、望まれぬアフター噴射が防止される。さらに、アーマチャのより迅速な沈静化と、これにより、改善された多段点火挙動と、が実現されうる。特に有利に、アーマチャの、方向に依存した減衰、又は、アーマチャの、方向に依存して強められた減衰が獲得されうる。その際に、衝突インパルスも減衰させられ、これにより摩耗がより小さくなる。さらに、液圧的な固着が防止されうる。さらに、減衰の公差感度も更に改善される。
【図面の簡単な説明】
【００２２】
本発明の好適な実施例が、以下の明細書の記載において、添付の図面を参照しながら詳細に解説される。図では、互いに対応する要素には、一致した符号が付されている。
【図１】本発明の第１の実施例に対応した、抜粋による弁の概略的な断面図を示す。
【図２】図１にＩＩで示す軸方向の注視方向に見た、本発明の第１の実施例に係る図１に示した弁のアーマチャ及びストッパ要素を示す。
【図３】本発明の第２の実施例に対応した、図２に示したアーマチャ及びストッパ要素を示す。
【発明を実施するための形態】
【００２３】
図１は、本発明の第１の実施例に対応した流体を調量するための弁１の、抜粋による概略的な断面図を示している。弁１は、特に、燃料噴射弁１として構成されうる。好適な適用ケースは、このような複数の燃料噴射弁１が高圧噴射弁１として構成され内燃機関の対応付けられた燃焼室への燃料の直接噴射のために利用される燃料噴射装置である。燃料として、ここでは、液体燃料又は気体燃料が使用されうる。
【００２４】
弁１は、電磁コイル３と、アーマチャ４と、を備えたアクチュエータ２を有する。電磁コイル３への通電によって、少なくとも部分的に強磁性のハウジング５と、内極６と、を介して磁気回路が閉じられ、これによりアーマチャ４の操作が行われる。アーマチャ４を介して、弁ニードル７の操作が行われる。弁ニードル７は、弁座面９と協働してシール座を成す弁閉鎖体８を操作するために役立つ。弁ニードル７の位置の変更は、その長手方向軸線１０に沿って行われる。
【００２５】
図１に示される構成では、弁ニードル７は、戻しばね１１を介して自身の初期ポジションに保たれ、弁閉鎖体８が弁座面９に当たっている。弁閉鎖体８は、球状又は部分的に球状に構成されうる。弁閉鎖体８は、他の形態でも構成されうる。
【００２６】
弁ニードル７には、ストッパ要素１５が固定的に配置されている。ストッパ要素１５には、アーマチャ４の端面１７の方を向いたストッパ面１６が形成されている。
【００２７】
さらに、更なる別のストッパ要素１８が設けられており、この更なる別のストッパ要素１８も、弁ニードル７に対して固定されており、更なる別のストッパ面１９が形成されている。さらに、内極６にもストッパ面２０が形成されている。内極６のストッパ面２０と、更なる別のストッパ要素１８の更なる別のストッパ面１９と、は、端面１７とは反対の側のアーマチャ４の更なる別の端面２１の方を向いている。
【００２８】
初期ポジションにおいて、アーマチャ４は、ストッパ要素１５のストッパ面１６に当接している。その際に、アーマチャ４は、アーマチャ自由経路ばね２２を介して、ストッパ要素１５で保持されている。電磁コイル３に通電された際には、アーマチャ４が、開放方向２４に加速される。アーマチャ自由経路１４を通過した後に、加速されたアーマチャ４は、更なる別のストッパ要素１８の更なる別のストッパ面１９に当接し、それにより、弁ニードル７をその座部から引き上げる。続いて、アーマチャ４と弁ニードル７とは一緒にさらに開放方向２４に移動し、アーマチャ４が内極６のストッパ面２０にぶつかる。その際に、場合によっては、弁ニードル７の支持体により条件付けられた、弁ニードル７のある程度の揺り戻しが起きる可能性がある。
【００２９】
弁１を閉鎖するためには、電磁コイル３への通電が切られ、従って、戻しばね１１によって、開放方向２４とは逆方向にアーマチャ４の位置が変更される。その後で、弁ニードル７は、弁閉鎖体８が弁座面９にぶつかる。これに続いてアーマチャ４が、ハウジング５に関して静止しているストッパ面１６にぶつかる。その際に、原則的には、以下のような跳ね返りの問題が発生し、即ち、アーマチャ４が再び開放方向２４にアーマチャ自由経路１４を通過し、不都合な場合には更なる別のストッパ要素１８にぶつかって、弁１が再び開くという問題が発生する。
【００３０】
このような跳ね返りを防止するために、アーマチャ４の減衰が設けられる。その際には、一方では迅速な開閉を可能とし他方では跳ね返りも防止するアーマチャ４の有利な減衰が実現され、このことは、本実施例ではストッパ要素１５を用いて解説される。
【００３１】
好適な実現によれば、弁１全体に燃料が充填されている。その際に、選択的に空間に充填することは構想されていないため、空間２５にも燃料が充填されている。更なる別の実現において、このことは対応して他の流体についても当てはまる。
【００３２】
ハウジング５の内部の、アーマチャ４が配置されている空間２５は、一般に液体状の流体で充填されている。好適な実現によれば、場合によっては液体燃料であるこの液体状の流体は、シール座へと案内される流体である。
【００３３】
原則的には可能であるが更に変更された構成であって、特に気体状の流体が調量される場合に構想されうる上記構成において、液圧的な減衰を得るために空間２５に他の適切な液体状の流体が設けられることに注意されたい。
【００３４】
アーマチャ４は、適切な貫流横断面を備えて構成された複数の貫流チャネル２６Ａ〜２６Ｆを有する。その際に貫流横断面は、円形状若しくはじん臓形状をしており、又は、他の幾何学的形状により構成されうる。本実施例では、貫流チャネル２６Ａ〜２６Ｆは、円形状の貫流横断面を有する貫通孔２６Ａ〜２６Ｆとして構成される。貫通孔２６Ａ〜２６Ｆは、適切な数及び配置でアーマチャ４に形成されるが、その際に、この貫通孔２６Ａ〜２６Ｆを介して、空間２５の、弁座面から遠い部分空間２７が、弁座面に近い部分空間２８と接続されている。さらに、アーマチャ４の外面２９とハウジング５の内壁３０との間には環状空隙３１が形成され、この環状空隙３１を介しても、部分空間２７、２８の間の接続が生じる。
【００３５】
空間２５内でアーマチャ４が動いた際には液体状の流体が押しのけられ、従って、この液体状の流体は、環状空隙３１及び貫通孔２６Ａ〜２６Ｆを経由して流れる。これにより、アーマチャ４の減衰が実現される。但し、この減衰は、アーマチャ４の加速に対しても反作用し、これにより、弁１の応答挙動も抑制される。このことは、例えばアーマチャ４の外面２９を変更することにより、方向に依存した減衰が実現される場合にも該当する。なぜならば、この減衰は、対応する方向についてアーマチャ自由経路１４全体に亘って有効だからである。アーマチャ４を減衰するためのこのような類似した手段は弁１の構成において利用可能であるが、上記理由から及びこれに関する欠点を回避するために、他の形態による減衰が実現される。
【００３６】
ストッパ要素１５には、ストッパ鍔部３５が形成され、このストッパ鍔部３５は、好適に円形状又はじん臓形状に形成された貫通孔２６Ａ〜２６Ｆの連通口３６Ａ〜３６Ｆがアーマチャ４に設けられた領域において又は当該領域に亘って、径方向に延在している。ここでは、ストッパ鍔部３５は、スリットが入ったストッパ鍔部３５として形成されている。本実施例では、図２に示すように、スリット部３７Ａ〜３７Ｊが設けられている。
【００３７】
アーマチャ４の端面１７がストッパ要素１５に直接的に当接しており又はストッパ要素１５の近傍に存在する場合には、スリットが入ったストッパ鍔部３５によって、貫通孔２６Ａ〜２６Ｆについて流量調整が行われる。これにより特に、アーマチャ４がストッパ要素１５にぶつかる直前に、より強い減衰が達成される。これに対して、弁１を開くためにアーマチャ４が開放方向２４に加速される場合には、この減衰効果は、アーマチャ自由経路１４の大部分に亘っては効果が無いため、良好な応答挙動が得られる。
【００３８】
さらに、アーマチャ４の端面１７の方を向いたストッパ面が、少なくとも領域３８では円錐状に成形されており、このことが、図１の詳細図に（（慣例どおり）寸法通りではない）角度３９によって示されている。外側に向かって増大する僅かな楔状の空間が、μｍの範囲内で存在しうる。この楔状の空間によって、特に応答時に、ストッパ要素１５でのアーマチャ４のより強い液圧的な固着が防止される。
【００３９】
さらに、ストッパ要素１５は、アーマチャ４の端面１７とは反対の側の外面４０を有し、この外面４０は、少なくとも部分４１では円錐状に成形されている。スリット部３７Ａ〜３７Ｊは、円錐状成形部４１の領域（部分）４１に配置されている。材料の厚さを薄くすることによって及び／又はスリットを入れることによって、ストッパ要素１５の柔軟性も改善される。これにより、場合によっては、通常では副次的なある程度の機械的な減衰も獲得されうる。
【００４０】
図２には、図１にＩＩで示す注視方向に見た、第１の実施例に係る図１に示した弁１のアーマチャ４及びストッパ要素１５が示されている。ここでは、個々のスリット部３７Ａ〜３７Ｊのスリット幅４２を介して、液圧的及び機械的な減衰効果の調整が可能である。機械的な柔軟性によって、勢いよく衝突した際に、場合によっては、機械的な接触時間を延長させることが可能である。これにより、衝突インパルス又はインパルスの伝達が時間的に長引かされて、弱められる。その際に、改善された公差感度も獲得されうる。これにより、最適な液圧的な機械的減衰であって、通常では副次的な機械的減衰のための面の動的な補正が可能となる。
【００４１】
アーマチャ４の貫通孔２６Ａ〜２６Ｆに対する、スリット部３７Ａ〜３７Ｊの構成及び配置は、ストッパ要素１５とアーマチャ４との間の各傾斜状態には依存せずに不変的な減衰挙動が得られるように、予め設定されうる。
【００４２】
図３は、第２の実施例に対応した図１に示した弁１のアーマチャ４及びストッパ要素１５を示している。本実施例では、スリット部３７Ａ〜３７Ｊの代わりに、孔４５Ａ〜４５Ｊとして構成された貫通孔４５Ａ〜４５Ｊが設けられている。その際に、孔４５Ａ〜４５Ｊは、外面４０の円錐状の部分４１に配置されている。孔４５Ａ〜４５Ｊを介して、合目的的に、連通口３６Ａ〜３６Ｆの領域に、ストッパ要素１５を通る液体状の流体のための貫通部が創出される。これにより、残りのストッパ面１６は最適な大きさとなりうる。
【００４３】
従って、ストッパ要素１５に設けられた対応するスリット部３７Ａ〜３７Ｊ及び／又は孔４５Ａ〜４５Ｊによって、及び、アーマチャ４の貫通孔２６Ａ〜２６Ｆの連通口３６Ａ〜３６Ｆを同時に部分的に覆うことによって、アーマチャ４での、ストロークに依存した減衰効果が獲得される。アーマチャ４が閉鎖時に、スリットが入ったストッパ要素１５に接近した場合には、アーマチャ４の貫通孔２６Ａ〜２６が、ストッパ要素１５により保障される空いた横断面に至るまで、特に、連通口３６Ａ〜３６Ｆの領域のスリット部３７Ａ〜３７Ｊ又は孔４５Ａ〜４５Ｊの横断面に至るまで閉鎖され、アーマチャ４の貫通孔２６Ａ〜２６Ｆを通る液体状の流体の流れが流量調整され、これによりアーマチャの運動が減衰される。ストッパ要素１５のスリット部３７Ａ〜３７Ｊ及び／又は孔４５Ａ〜４５Ｊ又は更なる別の貫通孔４５Ａ〜４５Ｊの設計を介して、並びに、楔状の空間及びストッパ鍔部３５の厚さの設計を介して、所望の減衰効果が調整又は最適化される。
【００４４】
従って、閉鎖時に改善されたやり方でアーマチャ４を減衰し、これにより跳ね返りを防止又は少なくとも軽減するために、ストッパ要素１５が適切なやり方で構成されうる。対応する構成が、更なる別のストッパ要素１８でも可能である。従って、液圧的な減衰の改善、及び、ストッパ面２０の拡張が可能である。原則的にこのことに伴う温度に依存した固着、並びに、公差及び傾動に対するより強い感度が、特に、ストッパ要素１５のストッパ面１６の領域３８及び外面４０の部分４１における楔状の空間又は円錐状成形部によって回避されうる。
【００４５】
上記の実施例では、スリット部３７Ａ〜３７Ｊは径方向に延びている。さらに、孔４５Ａ〜４５Ｊは、弁ニードル７の長手方向軸線１０に対して同一の径方向の間隔を有する。しかしながら、適用ケースに従って他の構成も実現されうる。
【００４６】
本発明は、上記の実施例には限定されない。
【図１】
0006723344.tif 000002
【図２】
0006723344.tif 000003
【図３】
0006723344.tif 000004